(57)【要約】【課題】吸収量を保持しながら、肌面側の表面のドライ感や快適性に優れた吸収性物品を提供する。【解決手段】肌当接面側に配置される液透過性トップシート２０と、非肌当接面側に配置される液透過性バックシート７０と、トップシート２０及びバックシート７０の間に配置される吸収体５０とを有する吸収性物品であって、トップシート２０と吸収体５０との間に第１開孔フィルム３０を備え、吸収体５０とバックシート７０との間に第２開孔フィルム６０を備え、第１開孔フィルム３０において、トップシート２０側の開孔径が、吸収体５０側の開孔径より大きく、第２開孔フィルム６０において、吸収体５０側の開孔径が、バックシート７０側の開孔径より大きく、平面視において、第１開孔フィルム３０の面積が、吸収体５０の面積に対して８０％以上１００％以下であり、第２開孔フィルム６０の面積が、第１開孔フィルムの面積に対して３０％以上７０％以下である。【選択図】図３
2020103527.tif 000002
【特許請求の範囲】
【請求項１】
肌当接面側に配置される液透過性トップシート、非肌当接面側に配置される液透過性バックシート、及び前記トップシートと前記バックシートとの間に配置される吸収体を有する吸収性物品であって、
前記トップシートと前記吸収体との間に第１開孔フィルムを備え、
前記吸収体と前記バックシートとの間に第２開孔フィルムを備え、
前記第１開孔フィルムにおいて、前記トップシート側の開孔径が、前記吸収体側の開孔径より大きく、
前記第２開孔フィルムにおいて、前記吸収体側の開孔径が、前記バックシート側の開孔径より大きく、
平面視において、前記第１開孔フィルムの面積が、前記吸収体の面積に対して８０％以上１００％以下であり、前記第２開孔フィルムの面積が、前記第１開孔フィルムの面積に対して３０％以上７０％以下である吸収性物品。
【請求項２】
前記第１開孔フィルム及び前記第２開孔フィルムは、いずれも、開孔径が０．３ｍｍ以上１．５ｍｍ以下であり、かつ開孔数が５０個／ｃｍ２以上である請求項１記載の吸収性物品。
【請求項３】
前記第１開孔フィルムの、前記トップシート側の開孔径と前記吸収体側の開孔径との差の絶対値が、０．０３ｍｍ以上０．１５ｍｍ以下であり、かつ
前記第２開孔フィルムの、前記吸収体側の開孔径と前記バックシート側の開孔径との差の絶対値が、０．０３ｍｍ以上０．１５ｍｍ以下である請求項１又は２記載の吸収性物品。
【請求項４】
前記第２開孔フィルムの前記吸収体側の開孔数が、前記第１開孔フィルムの前記トップシート側の開孔数に対して３０％以上７０％以下である請求項１から３いずれか１項記載の吸収性物品。
【請求項５】
前記第２開孔フィルムの前記吸収体側の開孔径が、前記第１開孔フィルムの前記トップシート側の開孔径に対して３０％以上７０％以下である請求項１から４いずれか１項記載の吸収性物品。
【請求項６】
前記第２開孔フィルムの前記吸収体側の開孔率が、前記第１開孔フィルムの前記トップシート側の開孔率に対して３０％以上７０％以下である請求項１から５いずれか１項記載の吸収性物品。
【請求項７】
前記第１開孔フィルムと前記吸収体の間に、液拡散性シートを備えた請求項１から６いずれか１項記載の吸収性物品。
【発明の詳細な説明】
【技術分野】
【０００１】
本発明は、吸収性物品に関する。
【背景技術】
【０００２】
軽失禁パッド、パンツ型紙おむつ、テープ止め紙おむつ等の吸収性物品は、液透過性のトップシートと、液不透過性のバックシートと、両シートの間に配置された吸収体と、で構成されている。これにより、尿等の体液は、トップシートを通って吸収体に吸収され、バックシートにより外部へ漏れないようになっている。
また、トップシートとバックシートの両方が液透過性であり、両面から尿等が吸収可能である吸収性物品も開発されている。
このような吸収性物品には、体液の吸収性の向上、着用者の装着感の向上、漏れ防止等を図るために、様々な工夫がなされている。
【０００３】
例えば、特許文献１には、表面と裏面の両方の面から尿等を吸収可能な吸収性物品として、吸収層の両面に不織布を配置した吸収性物品が開示されている。
また、特許文献２には、吸収体に、表面側から裏面側に貫通する吸収体貫通部を形成し、表面シートと裏面シートとが直接又は吸収体の包材を介して接合される構成が開示されている。
【先行技術文献】
【特許文献】
【０００４】
【特許文献１】実開平２−１３０６２７号公報
【特許文献２】特開２０１０−２４０８９６号公報
【発明の概要】
【発明が解決しようとする課題】
【０００５】
特許文献１に記載のような、表面側及び裏面側どちらからでも尿を吸収可能な吸収性物品においては、着用する紙おむつの吸収量を補完して漏れを防止することが目的であるが、着用者の失禁の状態や失禁パターン等によって、「繰り返し何度も吸収させたい」又は「排尿後の逆戻りを少なくして快適に保ちたい」等の要望がある。一方で、「重ねて使用している下側のおむつに尿を移行して全体の吸収量を多くしたい」又は「両面パッド自身でできるだけ吸収して下側のおむつは汚したくない」等の要望もある。
しかしながら、特許文献１記載の技術の場合、単に吸収層の両面に不織布を配置しただけの構造であるため、尿等の排泄物を十分に吸収し、液戻りを防止すること、又は繰り返しの吸収量を確保することは難しい。
また、特許文献２に記載の技術の場合も、特に液戻り防止及び吸収量が十分とはいえない。
上記のように、液戻り及び吸収量が不十分であると、着用者の肌が常に濡れて不快に感じることがある。
【０００６】
本発明は、上記事情に鑑みてなされたものであり、着用する紙おむつの上に重ねて使用する吸収性物品であって、表面および裏面が液透過性であり、吸収量を保持しながら、肌面側の表面のドライ感及び液戻りに優れ、かつ着用する紙おむつへの尿等の排泄物の移行を抑制することができる吸収性物品を提供することを目的とする。
【課題を解決するための手段】
【０００７】
本発明の発明者は、鋭意研究を行った結果、特定の構成の開孔フィルムをトップシートと吸収体との間、及び、吸収体とバックシートとの間に設けることで上記課題を解決できることを見出し、本発明を完成するに至った。
【０００８】
すなわち、本発明は、肌当接面側に配置される液透過性トップシート、非肌当接面側に配置される液透過性バックシート、及び前記トップシートと前記バックシートとの間に配置される吸収体を有する吸収性物品であって、前記トップシートと前記吸収体との間に第１開孔フィルムを備え、前記吸収体と前記バックシートとの間に第２開孔フィルムを備え、前記第１開孔フィルムにおいて、前記トップシート側の開孔径が、前記吸収体側の開孔径より大きく、前記第２開孔フィルムにおいて、前記吸収体側の開孔径が、前記バックシート側の開孔径より大きく、平面視において、前記第１開孔フィルムの面積が、前記吸収体の面積に対して８０％以上１００％以下であり、前記第２開孔フィルムの面積が、前記第１開孔フィルムの面積に対して３０％以上７０％以下である吸収性物品である。
【０００９】
前記第１開孔フィルム及び前記第２開孔フィルムは、いずれも、開孔径が０．３ｍｍ以上１．５ｍｍ以下であり、かつ開孔数が５０個／ｃｍ２以上であることが好ましい。
【００１０】
前記第１開孔フィルムの、前記トップシート側の開孔径と前記吸収体側の開孔径との差の絶対値は、０．０３ｍｍ以上０．１５ｍｍ以下であり、かつ前記第２開孔フィルムの、前記吸収体側の開孔径と前記バックシート側の開孔径との差の絶対値は、０．０３ｍｍ以上０．１５ｍｍ以下であることが好ましい。
【００１１】
前記第２開孔フィルムの前記吸収体側の開孔数は、前記第１開孔フィルムの前記トップシート側の開孔数に対して３０％以上７０％以下であることが好ましい。
【００１２】
前記第２開孔フィルムの前記吸収体側の開孔径は、前記第１開孔フィルムの前記トップシート側の開孔径に対して３０％以上７０％以下であることが好ましい。
【００１３】
前記第２開孔フィルムの前記吸収体側の開孔率は、前記第１開孔フィルムの前記トップシート側の開孔率に対して３０％以上７０％以下であることが好ましい。
【００１４】
前記第１開孔フィルムと前記吸収体の間に、液拡散性シートを備えていてもよい。
【発明の効果】
【００１５】
本発明によれば、着用する紙おむつの上に重ねて使用する吸収性物品であって、表面および裏面が液透過性であり、吸収量を保持しながら、肌面側の表面のドライ感及び液戻りに優れ、かつ着用する紙おむつへの尿等の排泄物の移行を抑制することができる吸収性物品を提供することができる。
【図面の簡単な説明】
【００１６】
【図１】本発明の吸収性物品の平面図である。
【図２】本発明の吸収性物品の裏面図である。
【図３】図１におけるＹ−Ｙ断面図である。
【図４】図１におけるＸ−Ｘ断面図である。
【図５】第１開孔フィルムの断面図である。
【図６】第２開孔フィルムの断面図である。
【発明を実施するための形態】
【００１７】
以下、添付図面を参照して、本発明の実施形態について詳細に説明するが、これらは例示の目的で掲げたもので、これらにより本発明を限定するものではない。なお、実施形態の説明の全体を通して同じ要素には同じ符号を付する。
【００１８】
また、本明細書の説明において、吸収性物品の着用時とは、吸収性物品の着用時及び着用後の少なくとも一方をいう。吸収性物品の長手方向とは、吸収性物品が着用されたときに着用者の前後にわたる方向であり、図中、符号Ｙで示す方向である。また、吸収性物品の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品としては、ベビー用又は成人用を問わず、軽失禁パッド、パンツ型紙おむつ、テープ止め紙おむつが例示されるが、これに限定されるものではなく、その他の吸収性物品であってもよい。
【００１９】
［吸収性物品］
図１は、本発明の実施形態の吸収性物品１０をトップシート２０側から見た平面図である。図１に示すように、吸収性物品１０は、肌当接面に配置される液透過性トップシート２０、トップシート２０に対向して非肌当接面側に配置される液透過性バックシート７０、及び、トップシート２０とバックシート７０との間に配置された吸収体５０を備える。
また、本実施形態の吸収性物品１０は、トップシート２０と吸収体５０との間に第１開孔フィルム３０を備え、吸収体５０とバックシート７０との間に第２開孔フィルム６０を備える。さらに、第１開孔フィルム３０と吸収体５０との間に液拡散性シート４０を備える。
本実施形態の吸収性物品１０は、肌当接面側及び非肌当接面側の両面に開孔フィルムが設けられており、両面から尿等の体液を吸収できるものである。
【００２０】
吸収性物品１０の、長手方向Ｙの寸法は１００ｍｍ以上８００ｍｍ以下、幅方向Ｘの寸法は５０ｍｍ以上５００ｍｍ以下であることが好ましい。吸収性物品１０の寸法を上記の範囲に調整することにより、軽失禁パッド、パンツ型紙おむつ、テープ止め紙おむつ等に適した吸収性物品１０を得ることができる。
以下、各構成要素の詳細を説明する。
【００２１】
（トップシート）
液透過性トップシート２０は、体液が吸収体５０へと移動するような液透過性を備えた基材から形成される。液透過性を備えた基材として、例えば、エアスルー不織布、サーマルボンド不織布、スパンボンド不織布等の不織布、サーマルボンド／スパンボンドを積層した複合不織布、ウレタンフォーム等の発泡フィルム、又は、これらを積層した複合シートが挙げられる。
また、トップシート２０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２０には、ローション、酸化防止剤、抗炎症成分、ｐＨ調整剤、抗菌剤、保湿剤等を含有させてもよい。
【００２２】
強度、加工性及び液戻り量の点から、トップシート２０の坪量は、１８ｇ／ｍ２以上４０ｇ／ｍ２以下であることが好ましい。
【００２３】
（バックシート）
液透過性バックシート７０は、吸収体５０が保持している体液の適量が非肌当接面に併用している別の紙おむつ等の吸収性物品に移動するような液透過性を備えた基材から形成される。液透過性を備えた基材として、例えば、エアスルー不織布、サーマルボンド不織布、スパンボンド不織布等の不織布、サーマルボンド／スパンボンドを積層した複合不織布、ウレタンフォーム等の発泡フィルム、又は、これらを積層した複合シートが挙げられる。
【００２４】
強度及び加工性の点から、バックシート７０の坪量は、１８ｇ／ｍ２以上４０ｇ／ｍ２以下であることが好ましい。
【００２５】
（吸収体）
本実施形態の吸収性物品１０は、図１に示すように、吸収体５０の長手方向Ｙの最長幅の寸法Ｌ４０は、１００ｍｍ以上８００ｍｍ以下であることが好ましく、１５０ｍｍ以上５００ｍｍ以下であることがより好ましい。また、吸収体５０の幅方向の最長幅の寸法Ｗ４０は、５０ｍｍ以上５００ｍｍ以下であることが好ましく、７０ｍｍ以上１０５ｍｍ以下であることがより好ましい。
また、本実施形態の吸収性物品１０における吸収体５０は、肌当接面側に位置する上層吸収体と、非肌当接面側に位置する下層吸収体とからなる２層構造であってもよく、上層吸収体と下層吸収体との間にキャリアシートを配置して３層構造としてもよい。
【００２６】
−吸収性繊維−
吸収体５０は、基材としての吸収性繊維と、高吸収性ポリマー（ＳＡＰ）とを含有するものが好ましい。
吸収性繊維は、一般に生理用ナプキンや紙おむつ、尿取りパッド等の吸収性物品に使用されるものであればよく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体５０に、基材としての吸収性繊維にフラッフパルプを用いた場合、吸収性繊維の坪量は、１００ｇ／ｍ２以上８００ｇ／ｍ２以下であることが好ましく、３２５ｇ／ｍ２以上６１５ｇ／ｍ２以下であることがより好ましい。これにより、肌触りを損なわずに、より多くの体液を吸収させることができる。
【００２７】
−高吸収性ポリマー−
吸収体５０の高吸収性ポリマーとしては、体液を吸収し、かつ、逆流を防止できるものであればよく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００２８】
吸収体５０に含有されるＳＡＰの坪量は、２４０ｇ／ｍ２以上４５０ｇ／ｍ２以下であることが好ましく、２４５ｇ／ｍ２以上４４５ｇ／ｍ２以下であることがより好ましい。上記の数値範囲内とすることで、吸収体５０におけるゲルブロッキングを防止し、かつ、吸収体５０において多量の体液を吸収させることができる。
また、吸収体５０において、フラッフパルプの重量に対する、高吸収性ポリマーの重量の比率である、高吸収性ポリマーの重量／フラッフパルプの重量×１００（％）が、４０％以上１２０％以下であることが好ましく、５０％以上１００％以下であることがより好ましい。
【００２９】
吸収体５０において、吸収性繊維及びＳＡＰの形態は、吸収性繊維中にＳＡＰ粒子を混合して形成したものでもよく、吸収性繊維間にＳＡＰ粒子を固着したＳＡＰシートでもよい。また、ＳＡＰ粒子の漏洩防止や吸収体５０の形状の安定化の目的から、吸収体５０をキャリアシートに包んでもよい。キャリアシートの基材としては親水性を有するものであればよく、ティシュ、吸収紙、エアレイド不織布等の親水性不織布を挙げることができる。キャリアシートを複数備える場合は、複数のキャリアシートの基材は同一のものであっても異なるものであってもよい。
【００３０】
（開孔フィルム）
本実施形態の吸収性物品１０は、図３及び図４に示すように、トップシート２０と吸収体５０との間に、開孔を有する第１開孔フィルム３０を備え、さらに、吸収体５０と液透過性バックシート７０との間に、第２開孔フィルム６０を備える。
第１開孔フィルム３０は、尿等の体液が吸収体５０へと移動するような液透過性を備えていることが好ましい。
また、第２開孔フィルム６０は、尿等の体液がバックシート７０へと移動するような液透過性を備えていることが好ましい。
【００３１】
−面積−
本発明における吸収性物品１０は、平面視において、第１開孔フィルム３０の面積が、吸収体５０の面積に対して８０％以上１００％以下であり、第２開孔フィルム６０の面積が、第１開孔フィルム３０の面積に対して３０％以上７０％以下である。
ここで、「第１開孔フィルムの面積」とは、図１に示すように、第１開孔フィルム３０のＹ方向の長さＬ３０とＸ方向の長さＷ３０から求めた値であり、Ｌ３０×Ｗ３０で表される。
また、「第２開孔フィルムの面積」とは、図２に示すように、第２開孔フィルム６０のＹ方向の長さＬ６０とＸ方向の長さＷ６０から求めた値であり、Ｌ６０×Ｗ６０で表される。
さらに、「吸収体の面積」とは、図１に示すように、吸収体５０のＹ方向の長さＬ５０とＸ方向の長さＷ５０から求めた値であり、Ｌ５０×Ｗ５０で表される。
【００３２】
第１開孔フィルム３０と第２開孔フィルム６０が上記のような大きさであることにより、両面吸収パッドの本来の役割である部分的な吸収力を補うとともに、繰り返しの吸収性に優れ、かつ液戻りを抑制することができる。
【００３３】
−開孔径、開孔数、開孔率−
本発明の吸収性物品１０では、図５に示すように、第１開孔フィルム３０において、トップシート２０側の開孔径Ｄ３０ａは、吸収体５０側の開孔径Ｄ３０ｂより大きく、また、図６に示すように、第２開孔フィルム６０において、吸収体５０側の開孔径Ｄ６０ａは、バックシート７０側の開孔径Ｄ６０ｂより大きい。
ここで、「開孔径」は、第１開孔フィルム３０及び第２開孔フィルム６０の表面を株式会社キーエンス製３Ｄ顕微鏡（ＶＲ−３１００）で撮影し、任意に選んだ３つの開孔の直径を測定した平均値である。
このように、トップシート２０側とバックシート７０側で、孔の大きさを上記のような範囲とすることで、表面の肌触りが良く、尿等の体液が素早く縦方向に濡れ広がり吸収されるので漏れを防止することができ、かつ、液戻りを防止することができる。
さらに、トップシート２０側とバックシート７０側で、孔の大きさを上記のような範囲とすることで、尿等の体液が、バックシート７０へと移行することを抑制し、尿等の体液を可能な限り吸収体５０に吸収させることができるため、有効に吸収体５０を利用でき、結果として下側の紙おむつへの移行を抑制することができる。
【００３４】
また、第１開孔フィルム３０及び第２開孔フィルム６０は、いずれも、表裏どちらも開孔径が０．３ｍｍ以上１．５ｍｍ以下であり、かつ開孔数が５０個／ｃｍ２以上であることが好ましい。
このような範囲とすることにより、尿等の吸収をしやすく、かつ拡散性に優れたものとすることができる。
【００３５】
さらに、図５に示すように、第１開孔フィルム３０の、トップシート２０側の開孔径Ｄ３０ａと吸収体５０側の開孔径Ｄ３０ｂとの差の絶対値は、０．０３ｍｍ以上０．１５ｍｍ以下であり、かつ第２開孔フィルム６０の、吸収体５０側の開孔径Ｄ６０ａとバックシート７０側の開孔径Ｄ６０ｂとの差の絶対値は、０．０３ｍｍ以上０．１５ｍｍ以下であることが好ましい。
第１開孔フィルム３０と第２開孔フィルム６０の開孔径の差を上記範囲とすることにより、表面の肌触りが良く、尿等の体液が素早く縦方向に濡れ広がり吸収されるので漏れを防止することができ、かつ、液戻りを防止することができる。
【００３６】
また、第２開孔フィルム６０の吸収体５０側の開孔数は、第１開孔フィルム３０のトップシート２０側の開孔数に対して３０％以上７０％以下であることが好ましい。
また、第２開孔フィルム６０の吸収体５０側の開孔径は、第１開孔フィルム３０のトップシート２０側の開孔径に対して３０％以上７０％以下であることが好ましい。
【００３７】
また、第２開孔フィルム６０の吸収体５０側の開孔率は、第１開孔フィルム３０のトップシート２０側の開孔率に対して３０％以上７０％以下であることが好ましい。
ここで、「第１開孔フィルム３０のトップシート２０側の開孔率」とは、第１開孔フィルム３０のトップシート２０側の面３０ａにおける、総開孔面積／第１開孔フィルムの面積×１００（％）により求められる値である。
また、「第２開孔フィルム６０の吸収体５０側の開孔率」とは、第２開孔フィルム６０の吸収体５０側の面６０ａにおける、総開孔面積／第２開孔フィルムの面積×１００（％）により求められる値である。
【００３８】
第２開孔フィルム６０の開孔数、開孔径、及び開口率を、第１開孔フィルム３０に対して、上記のような関係とすることにより、尿等の体液が素早く縦方向に濡れ広がり吸収されるので漏れを防止することができ、かつ、液戻りを防止することができる。
さらに、尿等の体液がバックシート７０へと移行することを抑制し、尿等の体液を可能な限り吸収体５０に吸収させることができるため、有効に吸収体５０を利用でき、結果として下側の紙おむつへの移行を抑制することができる。
【００３９】
−坪量−
強度及び加工性の点から、第１開孔フィルム３０及び第２開孔フィルム６０の坪量は、２０ｇ／ｍ２以上６０ｇ／ｍ２以下であることが好ましく、２３ｇ／ｍ２以上３０ｇ／ｍ２以下であることがより好ましい。
【００４０】
第１開孔フィルム３０及び第２開孔フィルム６０の開孔径、開孔数、及び坪量を上記の範囲とすることにより、強度、加工性、液透過性、及び液拡散性に優れたものとすることができ、かつ逆戻りを抑制することができる。
【００４１】
本発明における第１開孔フィルム３０及び第２開孔フィルム６０は、孔を有していないフィルム等の材料にエンボス加工で孔を貫通させて開孔させることによって作製することができる。
【００４２】
−材質−
第１開孔フィルム３０及び第２開孔フィルム６０の材質は、ポリエチレン、ポリプロピレンが好ましく、なかでも、柔らかさの観点からポリエチレンが好ましい。
【００４３】
（液拡散性シート）
図３及び図４に示すように、トップシート２０と第１開孔フィルム３０との間には、吸収性物品１０の液拡散性を向上させ、かつ、第１開孔フィルム３０の硬さを抑制し、肌触りを良くするために、液拡散性シート４０を配置することが好ましい。液拡散性シート４０の基材は、体液の透過速度がトップシート２０より速く、体液を吸収体５０へ素早く拡散するものであればよく、例えば、親水性不織布、特に、エアスルー不織布が好ましい。液拡散性シート４０の厚さは、０．１ｍｍ以上が好ましく、その坪量は、１０ｇ／ｍ２以上６０ｇ／ｍ２以下が好ましく、１５ｇ／ｍ２以上４０ｇ／ｍ２以下がより好ましい。厚さが０．１ｍｍ未満、又は、坪量が１０ｇ／ｍ２未満６０ｇ／ｍ２より大きいと、吸収体５０の上面全体への尿等の液体の拡散が十分に行われない。また、液拡散性シート４０の形状は、体液が、くまなく吸収体５０に拡散するように、吸収体５０の表面を完全に覆うことができる形状であることが好ましい。
【００４４】
（立体ギャザー）
吸収性物品１０には、着用者の排泄した体液の横漏れを防止するため、吸収性物品１０の長手方向に沿って、トップシート２０上に、立体ギャザー用弾性部材を有する一対の立体ギャザーを備えてもよい。吸収性物品１０の幅方向における立体ギャザーの外端は、バックシート７０に固定され、その内端はトップシート２０に固着され、その中央はトップシート２０に固定されない自由端となるように、立体ギャザーシートが配される。立体ギャザー用弾性部材を長手方向に沿って設けることで、立体ギャザーが起立性を有し、着用者の体型に合わせて変形可能なものとなる。立体ギャザー用弾性部材としては、例えば、ポリウレタン糸、帯状のポリウレタンフィルム、糸状又は帯状の天然ゴム等が使用され、立体ギャザーシートとしては、疎水性繊維にて形成された撥水性又は液不透過性の不織布、例えば、スパンボンド不織布やメルトブローン不織布、スパンボンド／メルトブローン／スパンボンドを積層した複合不織布等が使用される。
【００４５】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４６】
１０    吸収性物品
２０    トップシート
３０    第１開孔フィルム
４０    液拡散性シート
５０    吸収体
６０    第２開孔フィルム
７０    バックシート
【図１】
2020103527.tif 000003
【図２】
2020103527.tif 000004
【図３】
2020103527.tif 000005
【図４】
2020103527.tif 000006
【図５】
2020103527.tif 000007
【図６】
2020103527.tif 000008